(57)【要約】【課題】ユーザが設定した内容など装置の状態を容易にかつすばやく確認することのできる画像形成装置を提供する。【解決手段】画像形成要求に基づいて印刷媒体に対して画像形成を行う画像形成装置が、当該画像形成装置の各種の状態を表すステータス情報を格納する記憶手段と、前記記憶手段が格納する前記ステータス情報を前記印刷媒体に印刷したステータスシートを、ステータスシート出力指示に従って生成し、出力する出力手段と、前記記憶手段が格納する前記ステータス情報が更新された際に、前記ステータスシート出力指示を出して、前記出力手段に前記ステータスシートを出力させる制御手段とを有する。【選択図】  図３
2006088536.tif 000002
【特許請求の範囲】
【請求項１】
画像形成要求に基づいて印刷媒体に対して画像形成を行う画像形成装置であって、
当該画像形成装置の各種の状態を表すステータス情報を格納する記憶手段と、
前記記憶手段が格納する前記ステータス情報を前記印刷媒体に印刷したステータスシートを、ステータスシート出力指示に従って生成し、出力する出力手段と、
前記記憶手段が格納する前記ステータス情報が更新された際に、前記ステータスシート出力指示を出して、前記出力手段に前記ステータスシートを出力させる制御手段とを有する
ことを特徴とする画像形成装置。
【請求項２】
請求項１において、
更に、ユーザが前記画像形成装置の操作をするための操作手段を有し、
前記記憶手段が格納するステータス情報が更新された際とは、前記操作手段を用いてユーザが前記記憶手段に格納されるステータス情報を変更する操作を終了した際である
ことを特徴とする画像形成装置。
【請求項３】
請求項１あるいは請求項２において、
前記記憶手段に格納されるステータス情報は複数のグループに分類されており、
前記制御手段は、前記ステータス情報が更新された際に、当該更新されたステータス情報が含まれる前記グループのステータス情報を印刷したステータスシートの前記出力指示を出す
ことを特徴とする画像形成装置。
【請求項４】
請求項１乃至請求項３のいずれかにおいて、
前記ステータス情報が更新された際に前記出力手段から出力されるステータスシートにおける、前記更新されたステータス情報の表現が、他のステータス情報の表現と異なる
ことを特徴とする画像形成装置。
【請求項５】
請求項１乃至請求項４のいずれかにおいて、
前記制御手段は、前記ステータス情報が更新された際に、ユーザに前記ステータスシートの出力を行うか否かの指示を促し、前記ユーザからのステータスシートの出力を行う旨の指示を受けた後に、前記ステータスシート出力指示を出す
ことを特徴とする画像形成装置。
【請求項６】
請求項１において、
前記ステータス情報の更新が、前記画像形成要求を出すホスト装置からなされる
ことを特徴とする画像形成装置。
【発明の詳細な説明】
【技術分野】
【０００１】
本発明は、印刷条件や各種環境についてユーザが設定可能な画像形成装置に関し、特に、その時点で設定されている内容を容易にかつすばやく確認することのできる画像形成装置に関する。
【背景技術】
【０００２】
プリンタなどの画像形成装置においては、通常、ユーザは、印刷時の品質、印刷媒体などの印刷条件や装置の動作環境等についてその内容を設定できると共に、その時点で設定されている内容を確認することができる。
【０００３】
従来装置においてユーザがかかる設定を行う場合には、一般に、装置に備えられた操作パネルに対して所定の操作を行う。より具体的には、操作ボタンを用いて、表示パネルに表示される複数のメニューの中から設定を行うためのメニューを選択し、その後、設定を行う項目及びその設定内容を選択して上記設定操作を行う。また、装置に設定されている各種項目の内容を確認する場合には、例えば、前記メニューの中からステータスシートを出力するためのメニューを選択して当該ステータスシートを出力させ、記載されている内容から確認を行う。このステータスシートとは、その時点での設定状態、接続状態等の装置状態を紙などに印刷して表示したものである。
【０００４】
かかるステータスシートの出力に関しては、例えば、下記特許文献１にも記載されている。当該文献に記載の装置では、操作者が印刷可能状態になったことを容易に知ることができるように、装置の電源が投入された時点で、装置が使用できる状態になったことを知らせる旨の記載を含む初期シートなるものが自動的に印刷される。そして、その初期シートに前記ステータスシートの内容の一部又は全部を含めてもよい旨が記載されている。
【特許文献１】特開平１０−２７８３８２号公報
【発明の開示】
【発明が解決しようとする課題】
【０００５】
前述したプリンタなどの画像形成装置では、近年、多機能化が進むと共に使用の仕方の自由度も高くなってきていることから、ユーザが操作、設定できる項目が大変多くなっており、それに伴い、操作パネルに表示されるメニューも階層化されている。また、前述したステータスシートに表示する項目も多いことから分野別に複数のステータスシートが用意されるようになっている。従って、ユーザが装置の設定内容を確認するために、前述のようにステータスシートを出力させる場合には、上記階層化されたメニューからステータスシート出力のメニューを選択し、さらに、複数用意されたステータスシートの中から所望のものを選択する必要があり、これらの操作は容易なものではなかった。
【０００６】
一方、上記特許文献１に記載の装置では、上述のように、電源投入時にステータスシートの如きものが自動的に出力されるが、その後は、例えば、ユーザが設定を変更した後などは、ステータスシート出力のために上記面倒な操作をしなければならない。
【０００７】
そこで、本発明の目的は、ユーザが設定した内容など装置の状態を容易にかつすばやく確認することのできる画像形成装置を提供することである。
【課題を解決するための手段】
【０００８】
上記の目的を達成するために、本発明の一つの側面は、画像形成要求に基づいて印刷媒体に対して画像形成を行う画像形成装置が、当該画像形成装置の各種の状態を表すステータス情報を格納する記憶手段と、前記記憶手段が格納する前記ステータス情報を前記印刷媒体に印刷したステータスシートを、ステータスシート出力指示に従って生成し、出力する出力手段と、前記記憶手段が格納する前記ステータス情報が更新された際に、前記ステータスシート出力指示を出して、前記出力手段に前記ステータスシートを出力させる制御手段とを有することである。従って、本発明によれば、画像形成装置のステータスが変更された際にステータスシートが出力されるようになり、ユーザは、変更されたステータスの内容をすばやく確認することができる。また、その際に、面倒な操作を必要としないので、ユーザを煩わせることもない。
【０００９】
更に、上記の発明において、好ましい態様は、更に、ユーザが前記画像形成装置の操作をするための操作手段を有し、前記記憶手段が格納するステータス情報が更新された際とは、前記操作手段を用いてユーザが前記記憶手段に格納されるステータス情報を変更する操作を終了した際であることを特徴とする。これにより、ユーザは自分が変更したステータス情報を容易に、すばやく確認することが可能となる。
【００１０】
また、上記の発明において、好ましい態様は、前記記憶手段に格納されるステータス情報は複数のグループに分類されており、前記制御手段は、前記ステータス情報が更新された際に、当該更新されたステータス情報が含まれる前記グループのステータス情報を印刷したステータスシートの前記出力指示を出すことを特徴とする。
【００１１】
更に、上記の発明において、好ましい態様は、前記ステータス情報が更新された際に前記出力手段から出力されるステータスシートにおける、前記更新されたステータス情報の表現が、他のステータス情報の表現と異なることを特徴とする。これにより、ユーザは、更新されたステータス情報の内容をよりすばやく正確に確認することができるようになる。
【００１２】
また、上記の発明において、一つの態様は、前記制御手段は、前記ステータス情報が更新された際に、ユーザに前記ステータスシートの出力を行うか否かの指示を促し、前記ユーザからのステータスシートの出力を行う旨の指示を受けた後に、前記ステータスシート出力指示を出すことを特徴とする。
【００１３】
更に、上記の発明において、一つの態様は、前記ステータス情報の更新が、前記画像形成要求を出すホスト装置からなされることを特徴とする。
【００１４】
本発明の更なる目的及び、特徴は、以下に説明する発明の実施の形態から明らかになる。
【発明を実施するための最良の形態】
【００１５】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１６】
図１は、本発明を適用した画像形成装置の実施の形態例に係る構成図である。図１に示すプリンタ２が本実施の形態例に係る画像形成装置であり、ホストコンピュータ１からの印刷要求に基づいて紙などの印刷媒体に印刷を実行する。かかるプリンタ２は、ユーザが当該プリンタ２の設定を変更した際に、ユーザに複雑な操作をさせずに適切なステータスシート６を出力して、ユーザが設定内容を容易に且つすばやく確認できるようにしようとするものである。
【００１７】
図１に示すホストコンピュータ１は、プリンタ２に対して印刷要求を行なうホスト装置であり、ユーザ操作等に基づいて印刷対象の印刷データをプリンタ２に送信する。なお、ホストコンピュータ１は、所謂パーソナルコンピュータなどで構成することができる。図示していないが、ホストコンピュータ１内には、印刷要求元であるアプリケーションと、アプリケーションからの印刷要求に基づいてプリンタ２に送信する上記印刷データを生成するプリンタドライバが備えられる。
【００１８】
プリンタ２は、前記ホストコンピュータ１から送信される印刷データを受信して、ページ単位で印刷を実行するいわゆる４サイクルのレーザプリンタであり、図１に示すように、コントローラ３、エンジン４、及び操作部５が備えられている。コントローラ３には、Ｉ／Ｆ３１、ＣＰＵ３２、ＲＯＭ３３、ＲＡＭ３４、不揮発性メモリ３５、及びエンジンＩ／Ｆ３６が備えられる。
【００１９】
Ｉ／Ｆ３１は、ホストコンピュータ１から送信される前記印刷データを受信する部分であり、ＲＯＭ３３は、プリンタ２を制御するための各種プログラムを記憶する部分である。ＲＡＭ３４は、前記受信した印刷データ等を格納するメモリであり、エンジン４で印刷処理が行われる各ページの画像データは、ここからエンジンＩ／Ｆ３６に引き渡される。
【００２０】
不揮発性メモリ３５は、プリンタ２の電源がオフにされた際にも消去されずに記憶しておくべきデータを格納するＲＡＭであり、ここに、プリンタ２に対する各種の設定内容（ステータス情報）が格納される。そして、格納されている設定内容のデータが、ステータスシート６の出力の際に用いられる。
【００２１】
図２は、不揮発性メモリ３５に格納される設定内容のデータを例示した図である。図２に示す「メニュー項目」は、プリンタ２についての設定項目を分類する大項目であり、同時に、ユーザが操作する際に表示パネルに表示されるメニューの項目になっている。例えば、“給紙装置”というメニュー項目には、プリンタ２が印刷を行う用紙を収容するトレイやカセットなど用紙の供給に係る各部の設定項目が含まれる。
【００２２】
「設定項目」は、その名の通り、所定の内容を設定する各項目であり、図２に示すように、“カセット１用紙サイズ”など多数の項目が用意されている。「ステータス」は、その時点でプリンタ２に対して設定されている設定内容を表している。例えば、“カセット１用紙サイズ”という設定項目には、“Ａ３”という内容が設定されている。これは、カセット１にはＡ３のサイズの用紙がセットされていることを意味している。かかる「ステータス」の内容がユーザによって変更されることになる。
【００２３】
また、「分類」は、これらのデータに基づいてステータスシート６を出力する際のグループ分けを示す情報である。本プリンタ２では、複数種類のステータスシート６、具体的には３種類のステータスシートＡ、Ｂ、及びＣを出力するように設計されており、「分類」の“Ａ”、“Ｂ”、及び“Ｃ”は、それぞれ、その項目に関してステータスシートＡ、Ｂ、及びＣに含まれて出力されることを意味している。例えば、図２のメニュー項目が“給紙装置”であるステータ情報は、ステータスシートＡに印字されて出力される。
【００２４】
ＣＰＵ３２は、本プリンタ２において行われる各種処理を制御する部分であるが、特に、ユーザとのインターフェースを形成する操作部５を制御する処理、及び、ステータスシート６を出力させる処理を司る。本プリンタ２では、ユーザが設定内容を変更する際の処理内容に特徴あり、その具体的な内容については後述する。なお、ＣＰＵ３２が実行する処理は、主に前記ＲＯＭ３３に記憶されたプログラムに従って行われるものである。
【００２５】
次に、エンジンＩ／Ｆ３６は、エンジン４で印刷を実行する際に、所定のタイミングで前述したＲＡＭ３４に格納されている画素データを読み出し、それらに所定の処理を施した後にエンジン４に引き渡す、コントローラ３とエンジン４とのインターフェースを司る部分である。
【００２６】
以上説明したコントローラ３の各部は、図１に示すように、相互にデータ授受可能に接続されている。
【００２７】
次に、エンジン４は、エンジンＩ／Ｆ３６から出力されたデータに基づく印刷処理を実行し、用紙などの印刷媒体に対する画像形成を行う部分である。かかるエンジン４には、通常のレーザプリンタと同様に、帯電ユニット、露光ユニット、現像装置、転写ユニット等（図示せず）が備えられる。また、前記ＣＰＵ３２の指示を受けて、ステータスシート６の印刷処理も実行する。
【００２８】
また、操作部５は、ユーザがプリンタ２を操作するための部分であり、表示パネルや各種操作ボタン等で構成される。当該操作部５では、プリンタ２における印刷条件の設定など各種の設定行為が可能であると共に、ステータスシート６の出力指示も可能である。
【００２９】
以上説明したような構成を有する本実施の形態例に係るプリンタ２では、ホストコンピュータ１からの印刷要求があった場合など、通常の印刷処理を実行する場合には、従来と同様に処理が行われるが、ユーザが設定内容を変更する際の処理に特徴を有し、以下、かかる処理内容について具体的に説明する。
【００３０】
図３及び図４は、ユーザが設定内容を変更する際の処理内容について例示したフローチャートである。まず、ユーザが設定内容を変更する場合には、操作部５の表示パネルに表示される複数のメニューの中から、操作ボタンを用いて、設定内容を変更するための「プリンタ設定メニュー」を選択する（図３のステップＳ１）。その後、当該プリンタ設定メニューでの設定変更操作を行うので、当該メニューを終了させる操作は行わずに（図３のステップＳ２のＮｏ）、変更しようとする設定項目を一つ選択してその内容を変更する操作を行う（図３のステップＳ３）。
【００３１】
かかる変更の操作が行われると、コントローラ３のＣＰＵ３２は、変更された設定項目の内容を不揮発性メモリ３５に記憶する（図３のステップＳ４）。すなわち、図２に例示したデータにおいて、今回変更された「設定項目」の「ステータス」を変更された内容に更新する。例えば、“カセット２用紙サイズ”の内容が“Ａ４”であったものを“Ｂ４”に変更した場合には、そのように更新され、図２に示すようなデータとなる。
【００３２】
次に、ＣＰＵ３２は、今回変更された設定項目がステータスシートＡに含まれる項目であるか否かをチェックする（図３のステップＳ５）。各設定項目は、予めどのステータスシート６に含まれるか定められており、ＣＰＵ３２は、図２の「分類」として記憶されている情報等などからかかるチェックを行う。その結果、ステータスシートＡに含まれる項目である場合には（ステップＳ５のＹｅｓ）、ＣＰＵ３２は、ステータスシートＡ印刷フラグなるものをＲＡＭ３４内に立てる（図３のステップＳ６）。すなわち、ステータスシートＡを印刷すべき旨の情報がＲＡＭ３４に記憶される。
【００３３】
一方、ステータスシートＡに含まれる項目でない場合には（ステップＳ５のＮｏ）、今回変更された設定項目がステータスシートＢに含まれる項目であるか否かをチェックし（図３のステップＳ７）、そうであれば（ステップＳ７のＹｅｓ）、ＣＰＵ３２は、同様に、ステータスシートＢ印刷フラグをＲＡＭ３４内に立てる（図３のステップＳ８）。
【００３４】
また、ステータスシートＢに含まれる項目でない場合には（ステップＳ７のＮｏ）、当該項目はステータスシートＣに含まれることになるので（ステップＳ９のＹｅｓ）、ＣＰＵ３２は、同様に、ステータスシートＣ印刷フラグをＲＡＭ３４内に立てる（図３のステップＳ１０）。
【００３５】
このように、変更された設定項目が属するいずれかのステータスシート６の印刷フラグが立てられると、一つの設定項目についての更新処理が終了し、処理がステップＳ２に戻る。
【００３６】
ここで、前述したプリンタ設定メニューを終了する操作がユーザによってなされるまで、前述したステップＳ３からの処理が繰り返し行われる（ステップＳ３〜Ｓ２）。すなわち、連続して他の設定項目についても更新処理が行われる。
【００３７】
そして、設定内容の変更操作が終了し、プリンタ設定メニューを終了する操作がなされると（ステップＳ２のＹｅｓ）、図４のステップＳ１１に処理が移行し、ＣＰＵ３２は、まず、ＲＡＭ３４内に前述したステータスシートＡ印刷フラグが立っているか否かを確認する。すなわち、ステータスシートＡを印刷すべき旨の情報がＲＡＭ３４に記憶されているかチェックする。
【００３８】
その結果、ステータスシートＡ印刷フラグが立っている場合には（ステップＳ１１のＹｅｓ）、ＣＰＵ３２は、エンジン４に対してステータスシートＡを印刷すべき指示を出し、当該指示に基づいてエンジン４はステータスシートＡを印刷し、ステータスシートＡがプリンタ２から出力される（ステップＳ１２）。ここで行われるエンジン４によるステータスシート６の印刷処理は、前述した不揮発性メモリ３５内に記憶される更新後の設定内容を読み出して、予め定められたフォーマットで用紙に印字を行うことによって実行される。より具体的には、ここではステータスシートＡを印刷するので、図２に示す設定項目のうち「分類」が“Ａ”である全ての項目について格納されているデータを読み出して印字する。
【００３９】
図５は、出力されるステータスシートＡの一例を示した図である。図５に示す例では、不揮発性メモリ３５に記憶されているデータ（図２に示すデータ）と同様の形式で、“Ａ”に属する各項目とその設定内容が印字されている。この出力により、ユーザは、設定内容変更後のその時点でのプリンタ２のステータスを確認することができる。
【００４０】
一方、ステータスシートＡ印刷フラグが立っていない場合（ステップＳ１１のＮｏ）と、前記ステップＳ１２が完了した後は、ステップＳ１３に処理が移行し、ＣＰＵ３２は、ＲＡＭ３４内にステータスシートＢ印刷フラグが立っているか否かを確認する。この場合にも、当該フラグが立っている場合には（ステップＳ１３のＹｅｓ）ステータスシートＡの場合と同様に、ステータスシートＢの印刷がエンジン４に指示されて印刷処理が実行される（ステップＳ１４）。
【００４１】
また、当該フラグが立っていない場合（ステップＳ１３のＮｏ）とステップＳ１４の終了後は、処理がステップＳ１５に移行する。ここでも同様に、ＲＡＭ３４内にステータスシートＣ印刷フラグが立っているか否かが確認され、当該フラグが立っている場合には（ステップＳ１５のＹｅｓ）、ステータスシートＣの印刷がエンジン４に指示されて印刷処理が実行される（ステップＳ１６）。
【００４２】
当該フラグが立っていない場合（ステップＳ１５のＮｏ）、あるいは前記ステップＳ１６が完了した場合には、一連の設定内容変更処理が終了する。
【００４３】
以上説明した設定内容変更処理においては、ユーザが変更操作をした後に、変更した項目に関連するステータスシート６が自動的にプリンタ２から出力されることとなるが、ステータスシート６の出力についてユーザの意思を確認してから出力するようにしてもよい。
【００４４】
図６は、かかる場合の処理内容を例示したフローチャートである。図４に基づいて説明した前述の態様では、各ステータスシート６の印刷フラグが立っていることが確認されれば、そのままそのステータスシート６の印刷を実行したが、図６に示す場合には、各ステータスシート６の印刷フラグが立っていることが確認された場合に（図６のステップＳ２１、Ｓ２５、及びＳ２９のＹｅｓ）、まず、ステータスシート６を印刷するか否かの確認を促すメッセージを操作部５の表示パネルに表示する（ステップＳ２２、Ｓ２６、及びＳ３０）。
【００４５】
そして、当該表示に応答してユーザが印刷の実行ボタンを押した場合には（ステップＳ２３、Ｓ２７、及びＳ３１のＹｅｓ）、各ステータスシート６の印刷を実行し（ステップＳ２４、Ｓ２８、及びＳ３２）、実行ボタンが押されない場合には（ステップＳ２３、Ｓ２７、及びＳ３１のＮｏ）、ステータスシート６の印刷を行わない。
【００４６】
このような態様とすることにより、ユーザが必要としない時にもステータスシート６を出力してしまうことを防ぐことができる。
【００４７】
また、ステータスシート６の出力の際に、その時の設定内容変更処理で変更された内容の印刷表現を他の内容と変えるようにしてもよい。図７は、かかる場合の出力例を示した図である。図７に示す例は、ユーザによって“カセット２用紙サイズ”と“解像度”について設定内容が変更された場合であり、その際に出力されるステータスシート６では、変更されたこれら２項目の内容だけが四角で囲われ（図７のａ部）、他の部分と異なる表現とされている。かかる印刷表現の変更は、設定内容が変更された際にそのステータスシート６の印刷フラグを立てる時に合わせて内容が変更された設定項目の変更フラグを立てておき、ステータスシート６の印刷時にＲＡＭ３４に立てられた当該変更フラグに基づいて印刷表現を変えることによって実現できる。
【００４８】
このように印字表現を変えることにより、今回変更された内容がわかりやすくなり、ユーザは、自分が変更した設定内容をすばやく且つ間違えることなく確認することができるようになる。なお、かかる表現の変更方法としては、図７に示した例に限らず、変更された内容の印字色を変更する、変更された内容の部分を網掛けする、あるいは、変更された内容を太字で表現するなど他の方法を用いても構わない。
【００４９】
また、前述の実施の形態例では、設定内容の変更操作をプリンタ２に備えられた操作部５から行ったが、かかる操作をホストコンピュータ１から行うようにしてもよい。この場合には、設定内容変更のためのアプリケーションがホストコンピュータ１に備えられ、当該アプリケーションが提供するインターフェース画面に対してユーザが所定の操作を行って、所望の項目について設定内容の変更を行う。
【００５０】
変更された内容についての情報はプリンタ２側に送信されて、適宜設定の変更が行われる。そして、その後の不揮発性メモリ３５への変更内容の記憶（図３のステップＳ４）、ステータスシート６の印刷フラグ立て（図３のステップＳ６、Ｓ８、Ｓ１０）、及び印刷フラグに基づく印刷の実行（図４のステップＳ１２、Ｓ１４、Ｓ１６）については、前述の内容と同様に行われる。
【００５１】
なお、設定内容の変更操作が終了した時点でステータスシート６を出力する制御は、予めプリンタ２側に設定されていてもよいが、ホストコンピュータ１が前記設定内容変更のためのアプリケーションを終了するときに、変更された設定内容が印刷されるステータスシート６を印刷する旨のコマンドをプリンタ２側へ送信するようにしてもよい。なお、この設定内容変更のためのアプリケーションは、処理内容を指示するプログラムとその指示に従って処理を実行する制御装置で構成することができる。
【００５２】
以上説明したように、本実施の形態例に係るプリンタ２では、ユーザがプリンタ２の設定内容を変更した際に、変更した内容を含むステータスシート６が自動的に印刷されて出力される。従って、ユーザは、出力されたステータスシート６により、自分が変更した設定項目の内容が正しく反映されているかということ、及びその時点でのプリンタ２の各種ステータスをすばやく確認することができる。さらに、ステータスシート６は自動的に出力されるので、ユーザは、階層構造のメニューから所望のステータスシート６を出力させるためのメニューを探し出して操作するという煩わしさから解放される。
【００５３】
また、前述のように、設定内容の変更操作の後にステータスシート６を出力するか否かをユーザに確認するようにしてもよい。この場合には、ステータスシート６の出力が必要でないときにも出力してしまうという無駄を省くことができ、また、かかる確認の操作も容易でありユーザを煩わすことはない。
【００５４】
また、前述のように、出力されるステータスシート６において、今回変更された内容について、印刷の表現を他の内容と変更するようにしてもよい。これにより、今回変更した内容について、よりすばやくかつ正確に確認が行えるようになる。
【００５５】
さらに、本プリンタ２では、設定内容の変更をホストコンピュータ１側から行えるようにすることもでき、より利便性を向上できる。
【００５６】
また、本プリンタ２では、複数種類のステータスシート６を有し、設定内容の変更操作後に出力されるのは、変更した内容が含まれるステータスシート６である。従って、無駄に多くの出力をしてしまうことを避けられ、かつ、前述の通り自動的に出力されるので、複数種類の中から選ぶ操作をする必要もない。
【００５７】
なお、プリンタ２の設定項目があまり多くない場合などには、ステータスシート６を１種類としてもよい。この場合には、ユーザが設定内容の変更を１項目でも行った場合には、１種類のステータスシート印刷フラグを立て、ユーザがプリンタ設定メニューを終了した際には、そのステータスシート印刷フラグの有無に基づいてステータスシート６の印刷を行う。
【００５８】
また、本実施の形態例に係るプリンタ２は、４サイクルのレーザプリンタであったが、本発明は、タンデム式のレーザプリンタやインクジェット式のプリンタなど他の方式のプリンタにも適用することができる。
【００５９】
また、本発明は、プリンタ以外の例えばファクシミリ装置や複写機などにも適用することができる。
【００６０】
本発明の保護範囲は、上記の実施の形態に限定されず、特許請求の範囲に記載された発明とその均等物に及ぶものである。
【図面の簡単な説明】
【００６１】
【図１】本発明を適用した画像形成装置の実施の形態例に係る構成図である。
【図２】不揮発性メモリ３５に格納される設定内容のデータを例示した図である。
【図３】ユーザが設定内容を変更する際の処理について例示したフローチャートである。
【図４】ユーザが設定内容を変更する際の処理について例示したフローチャートである。
【図５】出力されるステータスシートＡの一例を示した図である。
【図６】変形例における処理内容を例示したフローチャートである。
【図７】ステータスシート６の出力例を示した図である。
【符号の説明】
【００６２】
１  ホストコンピュータ、  ２  プリンタ、  ３  コントローラ、  ４  エンジン（出力手段）、  ５  操作部（操作手段）、  ６  ステータスシート  ３１  Ｉ／Ｆ、  ３２  ＣＰＵ（制御手段）、  ３３  ＲＯＭ、  ３４  ＲＡＭ、  ３５  不揮発性メモリ（記憶手段）、  ３６  エンジンＩ／Ｆ
【図１】
2006088536.tif 000003
【図２】
2006088536.tif 000004
【図３】
2006088536.tif 000005
【図４】
2006088536.tif 000006
【図５】
2006088536.tif 000007
【図６】
2006088536.tif 000008
【図７】
2006088536.tif 000009